(57)【特許請求の範囲】
【請求項１】
柄に、眉又はその周囲に宛がう単一の又は別体一対の宛がい部材が取り付けられ、使用時の姿勢において、柄が顔の表面から離れるように形成されており、前記宛がい部材は、柄から横方向に突き出る使用位置と、柄に寄り添うように折り畳まれる折り畳み位置との間で柄に対し回転可能であり、
使用時の姿勢において、宛がい部材の宛がい部が顔と対向する側を内側とし、その反対側を外側として、宛がい部材の回転軸線が、宛がい部の基部の内面に対して所定の角度で傾斜し、宛がい部材が、その回転軸線回りに回転したときに、外側斜め下方向に回転して折り畳み可能であり、
柄に宛がい部材を回転可能に接続する接続部が、柄と宛がい部材にそれぞれ設けられ、使用時の姿勢において、前記接続部を通る回転軸線が、上方に向かうに従って顔から離れる方向に傾斜しており、
宛がい部材の接続部は、宛がい部よりも外側に設けられ、柄は、その接続部からさらに外側に延び、
柄の接続部は、柄の上部に設けられた宛がい部材取付け部であり、宛がい部材の接続部は、使用時の姿勢において宛がい部の基部から外側斜め下方向に延びる取付け板部であり、且つ取付け板部は、前記回転軸線に対し直交するように宛がい部材取付け部に取り付けられていることを特徴とする眉用化粧用具。
【請求項２】
一対の宛がい部材を有し、両宛がい部材の回転軸線は共通しており、両宛がい部材は、それらの取付け板部が重なり合った状態で、柄の宛がい部材取付け部に回転可能に取り付けられている請求項１記載の眉用化粧用具。
【請求項３】
宛がい部材の宛がい部が、宛がう顔の輪郭に沿うように外側に凸の弧状に曲げられている請求項１又は請求項２記載の眉用化粧用具。
【請求項４】
柄に、眉又はその周囲に宛がう一対の宛がい部材が取り付けられ、該宛がい部材は、宛がい部と、柄に宛がい部材を回転可能に接続する取付け板部とから成り、宛がい部は、宛がう顔の輪郭に沿うように外側に凸の弧状に曲げられ、使用時の姿勢において、柄が顔の表面から離れるように形成されており、前記宛がい部材は、柄から横方向に突き出る使用位置と、柄に寄り添うように折り畳まれる折り畳み位置との間で柄に対し回転可能であり、両宛がい部材の回転軸線は共通しており、両宛がい部材は、それらの取付け板部が重なり合った状態で、柄に設けられた宛がい部材取付け部に回転可能に取り付けられていることを特徴とする眉用化粧用具。
【請求項５】
使用時の姿勢において、宛がい部材の宛がい部が顔と対向する側を内側とし、その反対側を外側として、宛がい部材の回転軸線が、宛がい部の基部の内面に対して所定の角度で傾斜し、宛がい部材が、その回転軸線回りに回転したときに、外側斜め下方向に回転して折り畳まれる請求項４記載の眉用化粧用具。
【請求項６】
使用時の姿勢において、取付け板部を通る前記回転軸線が、上方に向かうに従って顔から離れる方向に傾斜している請求項５記載の眉用化粧用具。
【請求項７】
宛がい部材の取付け板部は、宛がい部よりも外側に設けられ、柄は、その取付け板部からさらに外側に延びている請求項６記載の眉用化粧用具。
【請求項８】
柄が、外側に凸の弧状に曲げられている請求項４乃至請求項７のいずれか一項記載の眉用化粧用具。
【請求項９】
宛がい部材は、柄に交換可能に取り付けられている請求項１乃至請求項８のいずれか一項記載の眉用化粧用具。
【請求項１０】
柄の宛がい部材取付け部の内面にその内面から垂直に突出する一対の半割り軸が設けられ、これらの半割り軸の端部には、それらの軸に対して直角方向に張り出す頭部が設けられ、宛がい部材の取付け板部に軸孔が形成され、前記半割り軸の頭部で構成される円の直径は、宛がい部材の軸孔の直径よりも大きく形成され、
半割り軸は、半割り軸同士が弾性的に接近可能に形成され、これらの半割り軸が軸孔に回転可能に挿通されることにより、宛がい部材が柄に交換可能に取り付けられている請求項９記載の眉用化粧用具。
【発明の詳細な説明】
【技術分野】
【０００１】
本発明は、眉墨で眉を描くとき、又はかみそりや鋏などで眉を切り揃えるときに使用する眉用化粧用具に関する。
【背景技術】
【０００２】
柄に設けた宛がい部を眉又はその周囲に宛がって、眉を描いたり切り揃えたりする眉用化粧用具は、特許文献１や特許文献２に記載されたものが存在している。そして、これらの眉用化粧用具は、その使用時の姿勢において柄が顔の表面から離れているので、柄を持った手が鼻などに当たることがないという長所を有している。しかし、宛がい部が柄から横方向に突き出ているので、女性がハンドバッグなどに入れて携帯するときや保管するときに、嵩張るという欠点を有している。そこで、このような眉用化粧用具を嵩張らないようにするためには、例えば、宛がい部を折り畳むことができる構成とすればよいのである。
【０００３】
宛がい部を折り畳むことができる眉描き具は、特許文献３に記載されており、宛がい部を、柄と平行に並ぶまで折り畳むことができるので、全体的にコンパクトにすることができる。但し、特許文献３の眉描き具は、使用時の姿勢において柄が顔の表面から離れるように形成されていないので、柄を下側に向けて使用するときは柄が顔に接近し、鼻などが邪魔になってしまうのである。この場合、特許文献３では、柄の上下方向を切り替えることにより、柄を上向きにして使用するものである。これにより、柄は額の前に位置するので、鼻に当たることはない。しかし、柄を上向きにすると、柄を持つ手を大きく上に挙げながら作業をするので、作業しづらく手がすぐに疲れてしまうのである。そこで、柄を下向きにしたまま鼻が邪魔にならないように使用するためには、使用時の姿勢において柄が顔の表面から離れるように形成すればよい。特許文献３の眉描き具を、使用時に顔から離れるように形成すればよい。そのように構成すると、宛がい部を折り畳むときに、宛がい部は真下に回転する。これに対して、柄は顔の表面から離れるように成形したから、真下に回転する宛がい部は柄に近づいて行かず、柄と異なる方向を向いて折り畳まれるので、柄に寄り添うように折り畳まれない。したがって、特許文献３に記載された眉描き具を改変して、使用時の姿勢において柄を顔の表面から離れるように形成した場合には、宛がい部をコンパクトに折り畳むことができず、携帯や保管の際に嵩張ってしまうのである。このほかに、柄を下向きにしたまま鼻が邪魔にならないように使用するためには、特許文献３の眉描き具の柄は改変せずに、使用時に、柄を顔の表面に対して傾斜するように持てばよい。しかし、この場合、宛がい部内面も顔に対して傾斜するので、宛がい部内面のほぼ全部が顔から浮いてしまい、正常な使用状態とはならない。
【先行技術文献】
【特許文献】
【０００４】
【特許文献１】意匠登録第１２８４４６０号公報
【特許文献２】意匠登録第１１８８６１３号公報
【特許文献３】登録実用新案第３１５３７８０号公報
【発明の概要】
【発明が解決しようとする課題】
【０００５】
本発明が解決しようとする問題点は、前記背景技術で説明したように、柄が直線状に形成された従来の折り畳み式眉描き具の構成では、それを、使用時の姿勢において柄が顔の表面から離れるように形成したときに、宛がい部を折り畳んでも全体がコンパクトにならず、携帯や保管の際に嵩張ってしまうという点である。
【課題を解決するための手段】
【０００６】
前記課題を解決するための請求項１記載の発明は、柄に、眉又はその周囲に宛がう単一の又は別体一対の宛がい部材が取り付けられ、使用時の姿勢において、柄が顔の表面から離れるように形成されており、前記宛がい部材は、柄から横方向に突き出る使用位置と、柄に寄り添うように折り畳まれる折り畳み位置との間で柄に対し回転可能であり、使用時の姿勢において、宛がい部材の宛がい部が顔と対向する側を内側とし、その反対側を外側として、宛がい部材の回転軸線が、宛がい部の基部の内面に対して所定の角度で傾斜し、宛がい部材が、その回転軸線回りに回転したときに、外側斜め下方向に回転して折り畳み可能であり、柄に宛がい部材を回転可能に接続する接続部が、柄と宛がい部材にそれぞれ設けられ、使用時の姿勢において、前記接続部を通る回転軸線が、上方に向かうに従って顔から離れる方向に傾斜しており、宛がい部材の接続部は、宛がい部よりも外側に設けられ、柄は、その接続部からさらに外側に延び、柄の接続部は、柄の上部に設けられた宛がい部材取付け部であり、宛がい部材の接続部は、使用時の姿勢において宛がい部の基部から外側斜め下方向に延びる取付け板部であり、且つ取付け板部は、前記回転軸線に対し直交するように宛がい部材取付け部に取り付けられている構成である。
【０００７】
請求項２記載の発明は、一対の宛がい部材を有し、両宛がい部材の回転軸線は共通しており、両宛がい部材は、それらの取付け板部が重なり合った状態で、柄の宛がい部材取付け部に回転可能に取り付けられている構成である。また、請求項３記載の発明は、宛がい部材の宛がい部が、宛がう顔の輪郭に沿うように外側に凸の弧状に曲げられている構成である。
【０００８】
請求項４記載の発明は、柄に、眉又はその周囲に宛がう一対の宛がい部材が取り付けられ、該宛がい部材は、宛がい部と、柄に宛がい部材を回転可能に接続する取付け板部とから成り、宛がい部は、宛がう顔の輪郭に沿うように外側に凸の弧状に曲げられ、使用時の姿勢において、柄が顔の表面から離れるように形成されており、前記宛がい部材は、柄から横方向に突き出る使用位置と、柄に寄り添うように折り畳まれる折り畳み位置との間で柄に対し回転可能であり、両宛がい部材の回転軸線は共通しており、両宛がい部材は、それらの取付け板部が重なり合った状態で、柄に設けられた宛がい部材取付け部に回転可能に取り付けられている構成である。
【０００９】
請求項５記載の発明は、使用時の姿勢において、宛がい部材の宛がい部が顔と対向する側を内側とし、その反対側を外側として、宛がい部材の回転軸線が、宛がい部の基部の内面に対して所定の角度で傾斜し、宛がい部材が、その回転軸線回りに回転したときに、外側斜め下方向に回転して折り畳まれる構成である。
【００１０】
請求項６記載の発明は、使用時の姿勢において、取付け板部を通る前記回転軸線が、上方に向かうに従って顔から離れる方向に傾斜している構成である。また、請求項７記載の発明は、宛がい部材の取付け板部は、宛がい部よりも外側に設けられ、柄は、その取付け板部からさらに外側に延びている構成である。また、請求項８記載の発明は、柄が、外側に凸の弧状に曲げられている構成である。さらに、請求項９記載の発明は、宛がい部材が、柄に交換可能に取り付けられている構成であり、請求項１０記載の発明は、柄の宛がい部材取付け部の内面にその内面から垂直に突出する一対の半割り軸が設けられ、これらの半割り軸の端部には、それらの軸に対して直角方向に張り出す頭部が設けられ、宛がい部材の取付け板部に軸孔が形成され、前記半割り軸の頭部で構成される円の直径は、宛がい部材の軸孔の直径よりも大きく形成され、半割り軸は、半割り軸同士が弾性的に接近可能に形成され、これらの半割り軸が軸孔に回転可能に挿通されることにより、宛がい部材が柄に交換可能に取り付けられている構成である。
【発明の効果】
【００１１】
請求項１及び請求項４記載の発明は、柄を顔の表面から離れるように形成すると共に、宛がい部材を、柄から横方向に突き出る使用位置と、柄に寄り添うように折り畳まれる折り畳み位置との間で柄に対し回転可能としている。したがって、使用中に柄を持った指が鼻などに当たることなく使用できると共に、使用後は、宛がい部材を柄に寄り添う位置まで折り畳むことにより、全体的にコンパクトにすることができ、携帯や保管に便利である。また、その宛がい部材が回転運動であるので、操作し易いという効果を奏する。
【００１２】
また、請求項１及び請求項５記載の発明は、宛がい部材をその回転軸線回りに回転させたときに、その宛がい部が、外側斜め下方向に回転して折り畳まれるように、宛がい部材の回転軸線を、宛がい部の基部の内面に対して所定の角度で傾斜させたものである。回転軸線を宛がい部内面に対して所定の角度で傾斜させる手段によって、宛がい部を、柄に寄り添うように折り畳むことができるので、構成を簡易なものとすることができ、操作も容易となる。
【００１３】
また、請求項１及び請求項６記載の発明は、柄に宛がい部材を回転可能に接続する接続部が、柄と宛がい部材にそれぞれ設けられ、使用時の姿勢において、前記接続部を通る回転軸線が、上方に向かうに従って顔から離れる方向に傾斜している。柄と宛がい部材にそれぞれ接続部が設けられているので、柄や宛がい部材の形状に影響されることなく接続部同士を接続することができる。したがって、柄や宛がい部を自由にデザインすることができる。また、宛がい部材の接続部が、宛がい部よりも外側に設けられ、柄は、その接続部からさらに外側に延びているので、使用時に接続部が顔に当たることがない。
【００１４】
また、請求項１記載の発明は、柄の接続部が、柄の上部に設けられた宛がい部材取付け部であり、宛がい部材の接続部が、使用時の姿勢において宛がい部の基部から外側斜め下方向に延びる取付け板部である。したがって、それぞれの接続部を柄又は宛がい部材と一体に成形することができるので、製造が簡易である。また、宛がい部材の接続部が、取付け板部であって板状に形成されているから、宛がい部材の回転にブレを生じさせない。また、取付け板部は、回転軸線に対し直交するように宛がい部材取付け部に取り付けられているので、宛がい部材を回転させたときに、宛がい部材は外側斜め下方向に回転して折り畳まれる。
【００１５】
請求項２及び請求項４記載の発明は、一対の宛がい部材を有し、両宛がい部材の回転軸線は共通しており、両宛がい部材は、それらの取付け板部が重なり合った状態で、柄の宛がい部材取付け部に回転可能に取り付けられている。したがって、宛がい部材については、それぞれ接続部が必要となるが、柄については、一つの接続部を設けて一つの回転軸線を設定すれば済むので、その分、構造を簡易にすることができる。
【００１６】
請求項３及び請求項４記載の発明は、宛がい部材の宛がい部が、宛がう顔の輪郭に沿うように外側に凸の弧状に曲げられているので、眉を描いたり切り揃えたりする作業を確実に行うことができる。
【００１７】
請求項８記載の発明は、柄が、外側に凸の弧状に曲げられている。したがって、宛がい部材を折り畳む際、弧状に曲げられた宛がい部材が、柄に近づいたときに、柄も宛がい部材と同様に凸の弧状に曲げられているので、宛がい部材は、柄に干渉されることなく柄に隣接する位置まで寄り添うように折り畳むことができる。
【図面の簡単な説明】
【００１８】
【図１】図１は宛がい部材を開いた状態を外側から見た斜視図である。
【図２】図２は宛がい部材を閉じた状態を外側から見た斜視図である。
【図３】図３は宛がい部材を開いた状態の使用時の姿勢における側面図である。
【図４】図４は宛がい部材を閉じた状態の側面図である。
【図５】図５は宛がい部材を開いた状態を内側から見た斜視図である。
【図６】図６は本発明の内側から見た分解斜視図である。
【図７】図７は宛がい部材を閉じた状態の内側正面図である。
【発明を実施するための形態】
【００１９】
次に、本発明の実施例について図面を参照しながら説明する。図１及び図６に示すように、本実施例の眉用化粧用具１は、柄２と、一対の宛がい部材３，４とから成る。柄２は、外側に凸の弧状に曲げられた把持部５を有し、その上部に板状の宛がい部材取付け部６が設けられ、さらにその宛がい部材取付け部６の上部から上方に突出する突片７が設けられている。図６に示すように、宛がい部材取付け部６の内面にその内面から垂直に突出する一対の半円筒状の半割り軸８，８が設けられている。これらの半割り軸８，８が協働して一つの支軸としての作用をなす。また、突片７の内面には一対の係止突起９，９が設けられている。これらの半割り軸８，８の端部には、それらの軸に対して直角方向に張り出す頭部１０，１０が設けられている。係止突起９，９は、使用状態に開いた宛がい部材３，４を係止するためのものである。
【００２０】
図３は、眉用化粧用具１の使用時の姿勢、すなわち顔を真っ直ぐ前に向けたときの眉用化粧用具１の使用時の姿勢における側面図である。図から明らかなように、使用時の姿勢において、突片７は顔の表面と同じように鉛直方向に延びる。そして、宛がい部材取付け部６は、鉛直方向に対し約４６度の傾斜角度をもって外側に傾斜しており、両宛がい部１１，１７よりも外側に設けられている。なお、傾斜角度がこの数値に限定されないことは勿論である。前述したように、把持部５は、外側に凸の弧状に曲げられており、板状の宛がい部材取付け部６との境界から外側に向けて張り出している。その境界において、把持部５の表面に引いた接線と宛がい部材取付け部６の表面とのなす角度は約１３５度であるが、傾斜角度がこの数値に限定されないことは勿論である。
【００２１】
一方の宛がい部材３は、宛がい部１１と取付け板部１２とから成る。宛がい部１１は、板状に形成され、眉形の孔部１３が設けられており、その孔部１３に沿って眉墨で眉を描くテンプレートである。また、宛がい部１１は、顔と対向する宛がい部内面１４を有し、使用時にその宛がい部内面１４を顔に密接させるために、宛がう顔の輪郭に沿うように外側に凸の弧状に曲げられている。取付け板部１２は、宛がい部１１の基部１５から外側斜め下方向に延びるように一体に設けられている。そして、その傾斜角度は、図３に示すように、眉用化粧用具１の使用時の姿勢において、宛がい部材取付け部６の傾斜角度と同じであり、鉛直方向に対し約４６度の傾斜角度をもって外側に傾斜している。本実施例では、このように、宛がい部１１の基部１５に対し、取付け板部１２が所定の角度をなして設けられている点に大きな特徴がある。この取付け板部１２には、軸孔１６が形成されている。さらに、図２に示すように、宛がい部１１の基部１５の外面に係止凹部２４が設けられており、この係止凹部２４が、突片７に設けられた係止突起９に凹凸の関係で係止して、使用状態に開いた宛がい部材３を係止する。
【００２２】
他方の宛がい部材４も、一方の宛がい部材３と同様に宛がい部１７と取付け板部１８とから成り、孔部１９と、宛がい部内面２０と、基部２１と、軸孔２２と、係止凹部２５とを有する。一方の宛がい部材３と他方の宛がい部材４との相違点は、図６に示されているように、一方の宛がい部材３の基部１５と取付け板部１２の内面がそれらの境界で角度をもって連続しているのに対し、他方の宛がい部材４の基部２１と取付け板部１８の内面はそれらの境界で連続しておらず、境界に段差２３が設けられている点である。これは、宛がい部材４の取付け板部１８が、宛がい部材３の取付け板部１２よりも外側になるように重ね合わせて半割り軸８，８に取り付けられるので、それぞれの宛がい部１１，１７の基部１５，２１の両内面を面一とするために、段差２３を設けたのである。
【００２３】
前述したように、宛がい部材３，４は、宛がい部材４の取付け板部１８が、宛がい部材３の取付け板部１２よりも外側になるように重ね合わせて半割り軸８，８に取り付けられる。半割り軸８，８の頭部１０，１０で構成される円の直径は、宛がい部材３，４の軸孔１６，２２の直径よりも大きいので、半割り軸８，８がその弾性で接近するように撓むことにより、半割り軸８，８は軸孔１６，２２に挿通される。挿通後に、半割り軸８，８は、広がって元の位置に復帰するので、軸孔１６，２２から抜け出ることがない。両宛がい部材３，４は、半割り軸８，８で構成される回転軸線を中心に、それぞれ回転可能である。
【００２４】
図３の、眉用化粧用具１の使用時の姿勢における側面図において、前述したように、宛がい部材取付け部６は、鉛直方向に対し約４６度の傾斜角度をもって外側に傾斜している。そして、一対の半円筒状の半割り軸８，８は、宛がい部材取付け部６の内面に対して垂直に突出している。回転軸線は、上方に向かうに従って顔から離れる方向に傾斜しており、その傾斜角度は鉛直方向に対し約４４度となる。この角度は、宛がい部材取付け部６の傾斜角度を約４６度にしたことによるものである。眉用化粧用具１がこのように構成され、宛がい部材３，４の回転軸線が上方に向かうに従って顔から離れる方向に約４４度傾斜しているので、図３の、宛がい部材３，４が開いている状態から、それらを折り畳むように下方に回転させると、宛がい部材３，４は真下に向かって回転しない。宛がい部材３，４は、その回転軸線回りに外側斜め下方向、すなわち、柄２の内側に向かって回転し、図２又は図４に示すように、柄２に寄り添うように折り畳まれる。寄り添うとは、例えば、本実施例の弧状をなす柄２と弧状をなす宛がい部材３，４との関係で言えば、宛がい部材３，４が、柄２と同じ側に凸の弧状をなして柄２のそばへ寄る場合が該当する。
【００２５】
図７に示したように、本実施例では、宛がい部材３，４をそれらが柄２の内側で突き当たるまで折り畳むことができる。宛がい部材３，４同士が突き当たるまで、宛がい部材３，４が柄２に干渉されないからである。これにより、最もコンパクトな状態にすることができる。宛がい部材３，４が柄２に干渉されない理由は、外側に凸の弧状をなす宛がい部材３，４に合わせて、柄２の把持部５も外側に凸の弧状をなすように形成したからである。
【００２６】
なお、本発明は前述した構成に基づいて種々の態様をとることが可能である。例えば、テンプレートである宛がい部１１，１７に代えて、宛がい部１１，１７を眉形に形成し、その宛がい部の縁に沿って眉毛を切ることにより眉を整えるガイドであってもよい。宛がい部１１，１７が直線状であってもよく、その場合、柄２も直線状に形成される。一対の宛がい部材３，４に代えて、いずれか一方の宛がい部材だけを柄２に取り付けたものであってもよい。宛がい部材３，４の回転軸線を共通とせず、別々の支軸を設けてもよい。また、宛がい部材３，４は、半割り軸８，８に取り付けられ、その頭部１０，１０で係止されているが、半割り軸８，８同士を弾性的に接近可能とすれば、宛がい部材３，４を交換することができる。これにより、宛がい部１１，１７の形状の異なる宛がい部材を用意して、好みのものに交換可能とすることもできる。また、宛がい部１１，１７を透明や半透明にしてもよく、合成樹脂以外の材料で不透明にしてもよい。また、宛がい部材３，４はそれぞれ独立して回転するが、双方を歯車結合させるなどして、一方の回転により他方が連動して回転する構成にしてもよい。また、柄２の把持部５の表面に滑り止めの凹凸を設けてもよく、エラストマー樹脂などを用いた滑り止め加工を施してもよい。
【産業上の利用可能性】
【００２７】
単に宛がい部材を折り畳み可能としただけではなく、宛がい部材が柄に寄り添うように折り畳み可能とすることにより、全体をコンパクトに折り畳むことができ、携帯や保管に好適なものとすることができる。
【符号の説明】
【００２８】
１  眉用化粧用具、    ２  柄、    ３  宛がい部材、    ４  宛がい部材、    ５  把持部、    ６  宛がい部材取付け部、    ７  突片、    ８  半割り軸、    ９  係止突起、    １０  頭部、    １１  宛がい部、    １２  取付け板部、    １３  孔部、    １４  宛がい部内面、    １５  宛がい部の基部、    １６  軸孔、    １７  宛がい部、    １８  取付け板部、    １９  孔部、    ２０  宛がい部内面、    ２１  宛がい部の基部、    ２２  軸孔、    ２３  段差、    ２４  係止凹部、    ２５  係止凹部
【図１】
0006706873.tif 000002
【図２】
0006706873.tif 000003
【図３】
0006706873.tif 000004
【図４】
0006706873.tif 000005
【図５】
0006706873.tif 000006
【図６】
0006706873.tif 000007
【図７】
0006706873.tif 000008